(57)【要約】【課題】不良ＬＥＤを容易に取り替えることができ、製作時間及び費用を減少させ、不良の発生を減少させることができる液晶表示モジュールを提供する。【解決手段】本発明の液晶表示モジュールは、前面に映像を表示するための画面、及び第１側面を備える液晶パネル３２と、液晶パネル３２の背面に配置され、導光板３３、及び液晶パネル３２の前記第１側面に対応する導光板３３の側面に配置された光源３１を備えるバックライトユニット３０と、液晶パネル３２に電気的に接続し、液晶パネル３２の前記第１側面からバックライトユニット３０の背面に延伸し、バックライトユニット３０の光源３１に電気的に接続する印刷回路基板３９とを備え、光源３１が連結ピン４０を備え、印刷回路基板３９がソケット４１を備え、連結ピン４０がソケット４１に着脱可能に接続される。【選択図】図２
2006251766.tif 000002
【特許請求の範囲】
【請求項１】
前面に映像を表示するための画面、及び第１側面を備える液晶パネルと、
前記液晶パネルの背面に配置され、導光板、及び前記液晶パネルの前記第１側面に対応する前記導光板の側面に配置された光源を備えるバックライトユニットと、
前記液晶パネルに電気的に接続し、前記液晶パネルの前記第１側面から前記バックライトユニットの背面に延伸し、前記バックライトユニットの前記光源に電気的に接続する印刷回路基板とを備えることを特徴とする液晶表示モジュール。
【請求項２】
前記光源が連結ピンを備え、前記印刷回路基板がソケットを備え、前記連結ピンが前記ソケットに着脱可能に電気的に接続されることを特徴とする請求項１に記載の液晶表示モジュール。
【請求項３】
前面に映像を表示するための画面を備える液晶パネルと、
光源を備え、前記液晶パネルの背面に配置されて前記液晶パネルに光を照射するバックライトユニットと、
前記液晶パネルを駆動させるために前記液晶パネルの一側面に電気的に直接接続され、前記光源を駆動させるために前記バックライトユニットの背面の前記光源に電気的に直接接続されている印刷回路基板とを備えることを特徴とする液晶表示モジュール。
【請求項４】
前記光源が連結ピンを備え、前記印刷回路基板がソケットを備え、前記連結ピンが前記ソケットに挿入されることにより、前記光源の前記連結ピンと前記印刷回路基板の前記ソケットとが電気的に接続されることを特徴とする請求項３に記載の液晶表示モジュール。
【発明の詳細な説明】
【技術分野】
【０００１】
本発明は、液晶表示モジュールに関し、より詳細には、液晶表示モジュールの構成部品数と製造工程数とを減少させ、バックライトユニットのＬＥＤに不良が生じた場合に、不良ＬＥＤを容易に取り替えることができる液晶表示モジュールに関する。
【背景技術】
【０００２】
一般に、液晶表示モジュールは自己発光する装置ではないため、液晶表示モジュールは、液晶パネルに光を照射するためのバックライトユニットを必要とする。
【０００３】
図１に、従来技術に係る液晶表示モジュールの部分断面図を示す。
【０００４】
図１に示すように、従来技術に係る液晶表示モジュールは、液晶パネル１２と、バックライトユニット１０と、第１フレキシブル印刷回路基板１９と、第２フレキシブル印刷回路基板２０とを備える。バックライトユニット１０は、光を放射するＬＥＤ１１と、画像を表示するための液晶パネル１２にＬＥＤ１１から放射される光を伝達する導光板１３と、接着剤層１４により導光板１３の背面に固定され、導光板１３の背面から漏れ出した光を反射して再び導光板１３へ戻すための反射シート１８と、拡散シート１５と、プリズムシート１６と、保護シート１７とを備える。また、バックライトユニット１０には、拡散シート１５、プリズムシート１６、及び保護シート１７が導光板１３の前面表面上に順に積層されて配置されて、これら構成部品がモールドフレーム内に積層されて組立てられており、液晶パネル１２の背面に配置されたバックライトユニット１０は、液晶パネル１２に面状に光を照射する。また、第１フレキシブル印刷回路基板１９は液晶パネル１２に電気信号を伝達し、第２フレキシブル印刷回路基板２０はＬＥＤ１１に電気信号を伝達する。
【０００５】
このような従来の液晶表示モジュールでは、第１フレキシブル印刷回路基板１９と第２フレキシブル印刷回路基板２０とがはんだ付けにより互いに電気的及び物理的に接続される。また、ＬＥＤ１１が、第２フレキシブル印刷回路基板２０とはんだ付けによってそれぞれ互いに電気的及び物理的に接続される。
【発明の開示】
【発明が解決しようとする課題】
【０００６】
このように、従来の液晶表示モジュールは、第１フレキシブル印刷回路基板１９と第２フレキシブル印刷回路基板２０とを共に必要とし、第１フレキシブル印刷回路基板１９と第２印刷回路基板２０とを接続するためのはんだ付け工程を余分に必要とする。加えて、従来の液晶表示モジュールでは、第２フレキシブル印刷回路基板２０とＬＥＤ１１とがはんだ付けされているため、ＬＥＤ１１に不良が生じた場合に第２フレキシブル印刷回路基板２０から不良ＬＥＤ１１を取り外して交換することが困難である。その結果、従来の液晶表示モジュールは、別途の構成部品と製造工程とを必要とし、それにより、液晶表示モジュールの製作時間及び費用が増大する。また、不良ＬＥＤの交換が容易でないために、液晶表示モジュール全体が不良となってしまう問題がある。
【０００７】
従って、本発明は上記従来技術における問題を解決するためになされたものであり、その目的は、不良ＬＥＤを容易に取り替えることができ、液晶表示モジュールの製作時間及び費用を減少させ、液晶表示モジュールの不良の発生を減少させることができる液晶表示モジュールを提供することにある。
【課題を解決するための手段】
【０００８】
上記目的を達成するために、液晶パネルを駆動するためのフレキシブル印刷回路基板と光源を駆動するためのフレキシブル印刷回路基板とを一体に形成して、光源とフレキシブル印刷回路基板とを分離可能に接続する。即ち、本発明の第１の液晶表示モジュールは、前面に映像を表示するための画面、及び第１側面を備える液晶パネルと、前記液晶パネルの背面に配置され、導光板、及び前記液晶パネルの前記第１側面に対応する前記導光板の側面に配置された光源を備えるバックライトユニットと、前記液晶パネルに電気的に接続し、前記液晶パネルの前記第１側面から前記バックライトユニットの背面に延伸し、前記バックライトユニットの前記光源に電気的に接続する印刷回路基板とを備えることを特徴とする。
【０００９】
上記第１の液晶表示モジュールにおいて、前記光源は連結ピンを備え、前記印刷回路基板はソケットを備え、前記連結ピンは前記ソケットに着脱可能に電気的に接続されることができる。
【００１０】
また、本発明の第２の液晶表示モジュールは、前面に映像を表示するための画面を備える液晶パネルと、光源を備え、前記液晶パネルの背面に配置されて前記液晶パネルに光を照射するバックライトユニットと、前記液晶パネルを駆動させるために前記液晶パネルの一側面に電気的に直接接続され、前記光源を駆動させるために前記バックライトユニットの背面の前記光源に電気的に直接接続されている印刷回路基板とを備えることを特徴とする。
【００１１】
上記第２の液晶表示モジュールにおいて、前記光源は連結ピンを備え、前記印刷回路基板はソケットを備え、前記連結ピンが前記ソケットに挿入されることにより、前記光源の前記連結ピンと前記印刷回路基板の前記ソケットとは電気的に接続されることができる。
【発明の効果】
【００１２】
本発明によれば、液晶表示モジュールの製造に必要とされる構成部品数が減少し、かつ製造工程が単純化され、それにより、液晶表示モジュールの製造に必要とされる時間及び費用を減少させることができる。また、ＬＥＤに不良が生じる場合に、不良ＬＥＤを容易に取り替えることができ、液晶表示モジュール全体が不良となってしまうことを防止し、その結果、液晶表示モジュールの信頼性を向上させることができる。
【発明を実施するための最良の形態】
【００１３】
以下、本発明の好ましい実施の形態を添付の図面を参照して詳細に説明する。なお、以下の説明及び図面において、同じ参照符号は同じ又は同様の構成要素を示すこととし、よって、同じ又は同様の構成要素に関する説明を省略する。
【００１４】
図２及び図３に、本発明の実施の形態に係る液晶表示モジュールを説明するための図面を示す。図２は本発明の実施の形態に係る液晶表示モジュールの部分断面図であり、図３は図２の破線で囲まれた領域Ａを拡大して示す断面図である。
【００１５】
図２に示すように、本発明の実施の形態に係る液晶表示モジュールは、液晶パネル３２と、バックライトユニット３０と、フレキシブル印刷回路基板３９とを備える。バックライトユニット３０は、光を放射するＬＥＤ３１と、画像を表示するための液晶パネル３２にＬＥＤ３１から放射される光を伝達する導光板３３と、接着剤層３４により導光板３３の背面に固定され、導光板３３の背面から漏れ出した光を再び導光板３３へ戻すための反射シート３８と、拡散シート３５と、プリズムシート３６と、保護シート３７とを備える。また、バックライトユニット３０には、拡散シート３５、プリズムシート３６、及び保護シート３７が導光板３３の前面表面上に順に積層されて配置されて、これら構成部品がモールドフレーム内に積層されて組立てられており、液晶パネル３２の背面に配置されたバックライト３０は、液晶パネル３２に面状に光を照射する。また、フレキシブル印刷回路基板３９は液晶パネル３２とＬＥＤ３１とに電気信号を伝達する。
【００１６】
このように、本発明の実施の形態に係る液晶表示モジュールでは、フレキシブル印刷回路基板３９が液晶パネル３２とＬＥＤ３１との両方に電気信号を伝達し、ＬＥＤ３１を導光板３３の側面に配置するために、ＬＥＤ３１を挿入及び取り出すためのホール４２を反射シート３８が備えている。また、ＬＥＤ３１は、フレキシブル印刷回路基板３９から電気信号を受信する連結ピン４０を備え、フレキシブル印刷回路基板３９は、ＬＥＤの連結ピン４０と分離可能なソケット４１を備える。即ち、本発明の実施の形態に係る液晶表示モジュールは、１つのフレキシブル印刷回路基板３９を通じてＬＥＤ３１と液晶パネル３２との両方に電気信号を伝達し、ＬＥＤ３１は、連結ピン４０とソケット４１との接続を通じて、フレキシブル印刷回路基板３９と互いに電気的及び物理的に接続される。さらに、反射シート３８に形成されたホール４２により、ＬＥＤ３１が容易に挿入及び取り出される。即ち、本発明の実施の形態に係る液晶表示モジュールは、不良ＬＥＤ３１を容易に交換することができる構造を備える。
【００１７】
図４ないし図６に、本発明の実施の形態に係る液晶表示モジュールの断面図を示す。以下、図４ないし図６を参照して、本発明の実施の形態に係る液晶表示モジュールにおける、不良ＬＥＤを良好なＬＥＤに取り替える手順について説明する。
【００１８】
図４に示すように、本発明の実施の形態に係る液晶表示モジュールにおいてＬＥＤ３１ａに不良が生じた場合、まず、フレキシブル印刷回路基板３９が上方に持ち上げられ、不良ＬＥＤ３１ａの連結ピン４０ａが、フレキシブル印刷回路基板３９のソケット４１から分離される。次に、バックライトユニットの背面の反射シート３８が上方に持ち上げられるか、若しくは一時的に除去される。そして、不良ＬＥＤ３１ａが除去され、新たに良好なＬＥＤ３１ｂに取り替えられる。取り替え作業が完了すると、図５に示すように、持ち上げられるか一時的に除去された反射シート３８によって良好なＬＥＤ３１ｂが覆われた後、上方に持ち上げられたフレキシブル印刷回路基板３９が下方に押し下げられる。
【００１９】
最後に、図６に示すように、フレキシブル印刷回路基板３９のソケット４１と良好なＬＥＤ３１ｂの連結ピン４０ｂとが接続されることにより、フレキシブル印刷回路基板３９が良好なＬＥＤ３１ｂと互いに電気的及び物理的に接続される。
【００２０】
このように、本発明の実施の形態に係る液晶表示モジュールによると、フレキシブル印刷回路基板のソケットとＬＥＤの連結ピンとを接続することにより、フレキシブル印刷回路基板がＬＥＤと互いに電気的及び物理的に接続され、電気信号が、１つのフレキシブル印刷回路基板を通じて液晶パネルとＬＥＤとの両方に伝達される。さらに、ＬＥＤに不良が生じた場合には、フレキシブル印刷回路基板のソケットから不良ＬＥＤの連結ピンが分離され、反射シート内に形成されたホールを通じて、ＬＥＤが容易に交換され得る。その結果、本発明の実施の形態に係る液晶表示モジュールは、構成部品の数を減少、及び製造工程を単純化させることができる。
【００２１】
尚、上記実施の形態では、液晶パネルの側面に対応する導光板の側面近傍に光源であるＬＥＤが配置されているが、これに限定されず、光源は導光板に光を入射することができる位置に配置されていればよい。
【００２２】
また、上記実施の形態では、導光板を備えるサイドライト型のバックライトユニットを用いているが、導光板を備えない直下型のバックライトユニットを用いてもよい。
【図面の簡単な説明】
【００２３】
【図１】従来技術に係る液晶表示モジュールの部分断面図である。
【図２】本発明の実施の形態に係る液晶表示モジュールの部分断面図である。
【図３】図２の破線で囲まれた領域Ａを拡大して示す断面図である。
【図４】本発明の実施の形態に係る液晶表示モジュールにおけるＬＥＤの取り替え手順を説明するための断面図である。
【図５】本発明の実施の形態に係る液晶表示モジュールにおけるＬＥＤの取り替え手順を説明するための断面図である。
【図６】本発明の実施の形態に係る液晶表示モジュールにおけるＬＥＤの取り替え手順を説明するための断面図である。
【符号の説明】
【００２４】
１１、３１    ＬＥＤ
３１ａ    不良ＬＥＤ
３１ｂ    良好なＬＥＤ
１２、３２    液晶パネル
１３、３３    導光板
１４、３４    接着剤層
１５、３５    拡散シート
１６、３６    プリズムシート
１７、３７    保護シート
１８、３８    反射シート
１９、２０、３９    フレキシブル印刷回路基板
４０、４０ａ、４０ｂ    連結ピン
４１    ソケット
４２    ホール
【図１】
2006251766.tif 000003
【図２】
2006251766.tif 000004
【図３】
2006251766.tif 000005
【図４】
2006251766.tif 000006
【図５】
2006251766.tif 000007
【図６】
2006251766.tif 000008